(57)【要約】  空気調和システムは、室内機と室外機とが冷媒配管で接続され該冷媒配管を可燃性冷媒が流れる冷媒回路を備え、空調対象空間である複数のエリアに空調空気を供給する空気調和機と、室内機と各エリアとを接続する空調ダクトと、空調ダクト内に配置され、各エリアへ供給される空調空気を遮断もしくは通過させるように開閉可能な複数のダンパーと、ダンパーを制御する制御装置と、を備え、制御装置は、空調空気が供給されるエリアの総床面積が、可燃性冷媒が漏洩しても可燃域が形成されない床面積である最低床面積以上の面積となるようにダンパーを制御するものである。
2020178956.tif 000002
【特許請求の範囲】
【請求項１】
室内機と室外機とが冷媒配管で接続され該冷媒配管を可燃性冷媒が流れる冷媒回路を備え、空調対象空間である複数のエリアに空調空気を供給する空気調和機と、
前記室内機と各前記エリアとを接続する空調ダクトと、
前記空調ダクト内に配置され、各前記エリアへ供給される空調空気を遮断もしくは通過させるように開閉可能な複数のダンパーと、
前記ダンパーを制御する制御装置と、を備え、
前記制御装置は、
空調空気が供給される前記エリアの総床面積が、前記可燃性冷媒が漏洩しても可燃域が形成されない床面積である最低床面積以上の面積となるように前記ダンパーを制御する
空気調和システム。
【請求項２】
前記制御装置は、
前記総床面積と前記最低床面積とを比較し、前記総床面積が前記最低床面積を下回った場合、閉じている前記ダンパーを開とする
請求項１に記載の空気調和システム。
【請求項３】
前記制御装置は、
前記総床面積と前記最低床面積とを比較し、前記総床面積が前記最低床面積を下回った場合、閉じている前記ダンパーのうちで、あらかじめ設定された優先順位が最も高い前記ダンパーを開とする
請求項２に記載の空気調和システム。
【請求項４】
ユーザーが前記ダンパーの優先順位を設定するリモコンを備えた
請求項３に記載の空気調和システム。
【請求項５】
前記制御装置は、
いずれかの前記ダンパーにおいて開から閉への設定の変更があった場合、前記総床面積と前記最低床面積とを比較する
請求項２〜４のいずれか一項に記載の空気調和システム。
【発明の詳細な説明】
【技術分野】
【０００１】
本発明は、可燃性冷媒が充填された冷媒回路を有する空気調和機を備え、空調ダクトおよびダンパーにより複数の部屋を個別に空調する空気調和システムに関するものである。
【背景技術】
【０００２】
従来、空気調和機の室内機として天井埋め込み型を用い、その室内機が天井裏に設置され、空調ダクトを介することで各部屋に空調空気を供給する空気調和システムが提案されている（例えば、特許文献１参照）。【０００３】
特許文献１の空気調和システムにおいて、冷媒回路に充填される冷媒には可燃性冷媒が用いられている。このように、冷媒回路に充填される冷媒に可燃性冷媒が用いられるのは、今まで主に用いられていたＲ４１０Ａなどの冷媒は不燃性である反面、地球温暖化係数（ＧＷＰ）が高いという性質を有しているためである。そして、地球の温暖化防止の一環として、Ｒ４１０ＡのようなＧＷＰが高い冷媒から、よりＧＷＰが低いＲ３２冷媒などの可燃性冷媒へと変更する動きが出てきているためである。
【先行技術文献】
【特許文献】
【０００４】
【特許文献１】特開２００２−３７２３１７号公報
【発明の概要】
【発明が解決しようとする課題】
【０００５】
特許文献１のような、冷媒回路に充填される冷媒に可燃性冷媒が用いられている従来の空気調和システムでは、室内に可燃性冷媒が漏洩した場合、漏洩冷媒が拡散することなく滞留すれば、そこに可燃濃度の気相、つまり可燃域が形成される可能性がある。そして、寝室などの狭い部屋の空調をしている際に可燃性冷媒が漏洩すると、空調している部屋に可燃域が形成されてしまい、この可燃域に何らかの着火源となり得るものが存在していた場合、可燃性冷媒に引火する恐れがあるという課題があった。【０００６】
本発明は、以上のような課題を解決するためになされたもので、可燃性冷媒に着火するリスクを低減することができる空気調和システムを提供することを目的としている。
【課題を解決するための手段】
【０００７】
本発明に係る空気調和システムは、室内機と室外機とが冷媒配管で接続され該冷媒配管を可燃性冷媒が流れる冷媒回路を備え、空調対象空間である複数のエリアに空調空気を供給する空気調和機と、前記室内機と各前記エリアとを接続する空調ダクトと、前記空調ダクト内に配置され、各前記エリアへ供給される空調空気を遮断もしくは通過させるように開閉可能な複数のダンパーと、前記ダンパーを制御する制御装置と、を備え、前記制御装置は、空調空気が供給される前記エリアの総床面積が、前記可燃性冷媒が漏洩しても可燃域が形成されない床面積である最低床面積以上の面積となるように前記ダンパーを制御するものである。
【発明の効果】
【０００８】
本発明に係る空気調和システムによれば、空調空気が供給されるエリアの総床面積が常に、可燃性冷媒が漏洩しても可燃域が形成されない床面積である最低床面積以上の面積となるようにダンパーが制御される。そのため、空調しているエリアに可燃域が形成されるのを抑制でき、可燃性冷媒に着火するリスクを低減することができる。
【図面の簡単な説明】
【０００９】
【図１】本発明の実施の形態１に係る空気調和システムを説明する模式図である。
【図２】本発明の実施の形態１に係る空気調和システムの制御装置の機能ブロック図である。
【図３】本発明の実施の形態１に係る空気調和システムのダンパー開閉の制御フローを示す図である。
【図４】本発明の実施の形態２に係る空気調和システムのダンパー開閉の制御フローを示す図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る空気調和システムを説明する模式図である。
本実施の形態１に係る空気調和システムは、図１に示すように、寝室、書斎、および、ダイニングキッチンなど、複数の部屋が設けられた家屋を空調するものである。
【００１２】
空気調和システムは、室外機１と室内機２とが互いに冷媒配管３で接続されて構成された冷媒回路を備え、空調対象空間である複数の部屋に空調空気を供給する空気調和機を備えている。ここで、室内機２は、天井に埋め込まれて使用される天井埋め込み型である。また、冷媒回路に充填される冷媒には、例えばＲ３２などの可燃性冷媒が用いられている。
【００１３】
空調対象空間である各部屋には、室内機２から供給された空調空気の吹出口（図示せず）がそれぞれ設けられている。そして、室内機２と各吹出口とは、主に天井裏に設置される空調ダクト４によって接続されている。
【００１４】
空調ダクト４内の各吹出口の近傍には、部屋へ供給される空調空気を遮断もしくは通過させるように開閉可能なダンパー６がそれぞれ設けられている。なお、ダンパー６の設置場所および個数は上記に限定されず、任意に選択可能である。
【００１５】
また、空気調和システムは、各ダンパー６を制御するダンパーリモコン３０と、空気調和機を制御する空調機リモコン４０と、を備えている。ダンパーリモコン３０は、ユーザーが部屋の温度設定などの設定入力を行う操作部３１を備えている。同様に、空調機リモコン４０は、ユーザーがダンパー６の開閉設定などの設定入力を行う操作部４１を備えている。また、空調機リモコン４０は、ダンパーリモコン３０にダンパー６の制御情報を送信する送信部４２（後述する図２参照）を備えている。つまり、空調機リモコン４０とダンパーリモコン３０とは連動し、空調機リモコン４０から各ダンパー６が制御可能となっている。
【００１６】
そして、ユーザーは、ダンパーリモコン３０の操作部３１または空調機リモコン４０の操作部４１を操作することによって、ダンパー６をそれぞれ任意に開閉することができる。また、ユーザーは、空調機リモコン４０の操作部４１を操作することによって、部屋の温度をそれぞれ設定することができる。
【００１７】
なお、ダンパー６とダンパーリモコン３０とは、空気調和機と制御的に連動するものでもあってもよいし、空気調和機とは連動せず独立した配線系統のものであってもよい。
【００１８】
また、ダンパーリモコン３０は、制御装置５０を備えている。この制御装置５０は、例えば、専用のハードウェア、またはメモリに格納されるプログラムを実行するＣＰＵ（Central Processing Unit、中央処理装置、処理装置、演算装置、マイクロプロセッサ、プロセッサともいう）で構成される。
【００１９】
図２は、本発明の実施の形態１に係る空気調和システムの制御装置５０の機能ブロック図である。
制御装置５０は、図２に示すように、取得部５１と、受信部５２と、記憶部５３と、演算比較部５４と、駆動部５５と、を備えている。
【００２０】
取得部５１は、操作部３１から入力された情報を取得するものである。受信部５２は、空調機リモコン４０の送信部４２から送信されたダンパー６の制御情報を受信するものである。記憶部５３は、後述する各エリアの床面積を記憶するものである。演算比較部５４は、取得部５１から取得した情報あるいは受信部５２が受信した情報と、記憶部５３に記憶されている情報とから、ダンパー６の開閉を決定するものである。駆動部５５は、演算比較部５４が決定した結果に基づいて、各ダンパーを開閉させるものである。
【００２１】
表１は、本発明の実施の形態１に係る空気調和システムにおいて、空調機リモコン４０またはダンパーリモコン３０からあらかじめ設定される情報の一例を示す表である。上の表は設定内容を示しており、下の表は設定例を示している。
【００２２】
【表１】
2020178956.tif 000003
【００２３】
表１に示す最低床面積Ａｍｉｎ［ｍ２］は、家屋に設置される空気調和機の冷媒回路に充填される冷媒量Ｍ［ｋｇ］に応じて制約される最小空調床面積である。ここで、国際規格（ＩＥＣ６０３３５−２−４０）などでは、可燃性冷媒を用いた空気調和機における室内機の最低設置面積Ａ［ｍ２］は、冷媒量Ｍ［ｋｇ］、設置高さｈ０［ｍ］、および、冷媒の燃焼下限濃度ＬＦＬから算出されることが記載されている。同じく国際規格において、設置高さｈ０［ｍ］に関しては、室内機の形態によって最低設置高さが設けられている。そのため、例えば設置高さｈ０［ｍ］を最低設置高さとすると、冷媒量Ｍ［ｋｇ］に応じた最低床面積Ａｍｉｎ［ｍ２］を算出することができる。
【００２４】
最低床面積Ａｍｉｎ［ｍ２］は、可燃性冷媒に着火するリスクを回避するための閾値であり、最低床面積Ａｍｉｎ［ｍ２］未満の床面積を有するエリアに可燃性冷媒が漏洩した場合、そのエリアに可燃濃度の気相、つまり可燃域が形成されて可燃性冷媒に着火してしまう恐れがある。一方、最低床面積Ａｍｉｎ以上の床面積を有するエリアに可燃性冷媒が漏洩しても、そのエリアに可燃域が形成されない。そのため、可燃域が形成されることによる、可燃性冷媒に着火するリスクを回避するためには空調されるエリアの床面積の合計を最低床面積Ａｍｉｎ以上にする必要がある。
【００２５】
最低床面積Ａｍｉｎ［ｍ２］は、家屋に設置される空気調和機の据え付け説明書などから得られる情報である。また、空調される各エリアの床面積Ａｎ（ｎ＝１，２，３，４，・・・）［ｍ２］は、各ダンパー６に対応する部屋の床面積Ａｎ［ｍ２］の合計である。ここで、エリアとは、各ダンパー６に対応する部屋全てのことである。つまり、一部屋に対し一つのダンパー６が設置されている場合には、エリアは一部屋の床面積Ａｎ［ｍ２］であり、二部屋に対し一つのダンパー６が設置されている場合には、エリアは二部屋の床面積Ａｎ［ｍ２］の合算値である。各エリアの床面積Ａｎ［ｍ２］は、主として空気調和機の据え付け時に決定される内容であり、全てのエリアの床面積Ａｎ［ｍ２］があらかじめ設定されている必要がある。
【００２６】
最低床面積Ａｍｉｎ［ｍ２］および各エリアの床面積Ａｎ［ｍ２］は、工事業者によって空調機リモコン４０またはダンパーリモコン３０から設定される。そして、設定された最低床面積Ａｍｉｎ［ｍ２］および各エリアの床面積Ａｎ［ｍ２］は、記憶部５３に記憶される。
【００２７】
図３は、本発明の実施の形態１に係る空気調和システムのダンパー６開閉の制御フローを示す図である。
以下、本発明の実施の形態１に係る空気調和システムのダンパー６開閉の制御フローについて、図３を用いて説明する。
【００２８】
（ステップＳ１０１）
最初に、演算比較部５４は、記憶部５３を参照し、ダンパー６が開となっているエリアの総床面積ΣＡｎ［ｍ２］を計算する。
【００２９】
（ステップＳ１０２）
演算比較部５４は、ダンパー６が開となっているエリア、つまり現在の空調エリアの総床面積ΣＡｎ［ｍ２］と最低床面積Ａｍｉｎ［ｍ２］とを比較する。そして、現在の空調エリアの総床面積ΣＡｎ［ｍ２］が最低床面積Ａｍｉｎ［ｍ２］以上であるかどうかを判定する。演算比較部５４は、現在の空調エリアの総床面積ΣＡｎ［ｍ２］が最低床面積Ａｍｉｎ［ｍ２］以上であると判定した場合（Ｙｅｓ）、ステップＳ１０４の処理に進む。一方、現在の空調エリアの総床面積ΣＡｎ［ｍ２］が最低床面積Ａｍｉｎ［ｍ２］未満であると判定した場合（Ｎｏ）、ステップＳ１０３の処理に進む。
【００３０】
（ステップＳ１０３）
駆動部５５は、現在閉じられているダンパー６のうち、いずれかひとつのダンパー６を開にし、ステップＳ１０１の処理に戻る。なお、現在閉じられているダンパー６のうち、複数のダンパー６を同時に開にする構成としてもよい。
【００３１】
（ステップＳ１０４）
演算比較部５４は、いずれかのダンパー６に対して開から閉への設定の変更があったかどうかを判定する。ここで、ダンパー６の設定変更の有無の判定に関しては、例えば、ユーザーが空調機リモコン４０またはダンパーリモコン３０を用いてダンパー６の設定変更を行ったら、その情報が記憶部５３に記憶され、演算比較部５４がその情報を参照することによって行う。演算比較部５４が、いずれかのダンパー６に対して開から閉への設定の変更があったと判定した場合（Ｙｅｓ）、ステップＳ１０１の処理に戻る。一方、演算比較部５４が、いずれかのダンパー６に対しても開から閉への設定の変更がないと判定した場合（Ｎｏ）、再度ステップＳ１０４の処理を行う。
【００３２】
このように、本実施の形態１に係る空気調和システムでは、ダンパー６の開閉を制御することによって、室内機２から空調空気が供給されているエリアの総床面積ΣＡｎ［ｍ２］が、常に最低床面積Ａｍｉｎ［ｍ２］を下回らないようにしている。そうすることで、万が一、室内機２から空調空気が供給されているエリアに可燃性冷媒が漏洩しても、そのエリアに可燃域が形成されるのを抑制でき、可燃性冷媒に着火するリスクを低減することができる。
【００３３】
なお、本実施の形態１に係る空気調和システムでは、空調機リモコン４０とダンパーリモコン３０とをそれぞれ別体として備えた構成としたが、それに限定されない。本実施の形態１に係る空気調和システムは、空調機リモコン４０の機能とダンパーリモコン３０の機能が一体となった一つのリモコンを備えた構成でもよい。
【００３４】
以上、本実施の形態１に係る空気調和システムは、室内機２と室外機１とが冷媒配管３で接続され該冷媒配管３を可燃性冷媒が流れる冷媒回路を備え、空調対象空間である複数のエリアに空調空気を供給する空気調和機を備えている。また、室内機２と各エリアとを接続する空調ダクト４と、空調ダクト４内に配置され、各エリアへ供給される空調空気を遮断もしくは通過させるように開閉可能な複数のダンパー６と、ダンパー６を制御する制御装置５０と、を備えている。そして、制御装置５０は、空調空気が供給されるエリアの総床面積ΣＡｎ［ｍ２］が、可燃性冷媒が漏洩しても可燃域が形成されない床面積である最低床面積Ａｍｉｎ［ｍ２］以上の面積となるようにダンパー６を制御するものである。
【００３５】
本実施の形態１に係る空気調和システムによれば、空調空気が供給されるエリアの総床面積ΣＡｎ［ｍ２］が常に、可燃性冷媒の漏洩に起因して可燃域が形成される最低床面積Ａｍｉｎ［ｍ２］以上の面積となるようにダンパー６が制御される。そのため、空調しているエリアに可燃域が形成されるのを抑制でき、可燃性冷媒に着火するリスクを低減することができる。
【００３６】
また、本実施の形態１に係る空気調和システムにおいて、制御装置５０は、いずれかのダンパー６において開から閉への設定の変更があった場合、総床面積ΣＡｎ［ｍ２］と最低床面積Ａｍｉｎ［ｍ２］とを比較するものである。
【００３７】
本実施の形態１に係る空気調和システムによれば、いずれかのダンパー６において開から閉への設定の変更があった場合、総床面積ΣＡｎ［ｍ２］と最低床面積Ａｍｉｎ［ｍ２］とを比較する。つまり、総床面積ΣＡｎ［ｍ２］が小さくなるタイミングで総床面積ΣＡｎ［ｍ２］と最低床面積Ａｍｉｎ［ｍ２］とを比較する。そのため、最適なタイミングでダンパー６の開閉の制御を行うことができ、ダンパー６が開となっているエリアの総床面積ΣＡｎ［ｍ２］が最低床面積Ａｍｉｎ［ｍ２］未満となってもすぐに最低床面積Ａｍｉｎ［ｍ２］以上とすることができる。
【００３８】
実施の形態２．
以下、本発明の実施の形態２について説明するが、実施の形態１と重複するものについては説明を省略し、実施の形態１と同じ部分または相当する部分には同じ符号を付す。
【００３９】
表２は、本発明の実施の形態２に係る空気調和システムにおいて、空調機リモコン４０またはダンパーリモコン３０から設定される各エリアの優先順位Ｐｎの一例を示す表である。上の表は設定内容を示しており、下の表は設定例を示している。
【００４０】
【表２】
2020178956.tif 000004
【００４１】
表２に示すように、本実施の形態２に係る空気調和システムでは、エリア毎に優先順位Ｐｎ（ｎ＝１，２，３，４，・・・）が設定されている。ここで、表２において、優先順位は、Ｐ１＞Ｐ２＞Ｐ３＞Ｐ４＞Ｐ５＞Ｐ６である。つまり、Ｐ１が最も高い優先順位を示しており、Ｐ６が最も低い優先順位を示している。
【００４２】
各エリアの優先順位Ｐｎは、主にユーザーによって空調機リモコン４０またはダンパーリモコン３０から設定される。そして、設定された各エリアの優先順位Ｐｎは、記憶部５３に記憶される。なお、各エリアの優先順位Ｐｎは、工事業者などによって設定されてもよい。
【００４３】
図４は、本発明の実施の形態２に係る空気調和システムのダンパー６開閉の制御フローを示す図である。
以下、本発明の実施の形態２に係る空気調和システムのダンパー６開閉の制御フローについて、図４を用いて説明する。
【００４４】
（ステップＳ２０１）
最初に、演算比較部５４は、記憶部５３を参照し、ダンパー６が開となっているエリアの総床面積ΣＡｎ［ｍ２］を計算する。
【００４５】
（ステップＳ２０２）
演算比較部５４は、ダンパー６が開となっているエリア、つまり現在の空調エリアの総床面積ΣＡｎ［ｍ２］と最低床面積Ａｍｉｎ［ｍ２］とを比較する。そして、現在の空調エリアの総床面積ΣＡｎ［ｍ２］が最低床面積Ａｍｉｎ［ｍ２］以上であるかどうかを判定する。演算比較部５４は、現在の空調エリアの総床面積ΣＡｎ［ｍ２］が最低床面積Ａｍｉｎ［ｍ２］以上であると判定した場合（Ｙｅｓ）、ステップＳ２０４の処理に進む。一方、現在の空調エリアの総床面積ΣＡｎ［ｍ２］が最低床面積Ａｍｉｎ［ｍ２］未満であると判定した場合（Ｎｏ）、ステップＳ２０３の処理に進む。
【００４６】
（ステップＳ２０３）
駆動部５５は、記憶部５３を参照し、現在閉じられているダンパー６のうち、最も優先順位Ｐｎの高いダンパー６を開にし、ステップＳ２０１の処理に戻る。なお、万が一、ダンパー６の優先順位Ｐｎがユーザーなどによって設定されていない場合は、例えば、駆動部５５が、ダンパー６が開となっているエリアに隣接するエリアのダンパー６を開にする構成としてもよい。また、例えば、各エリアの優先順位Ｐｎの初期値があらかじめ記憶部５３に記憶されており、駆動部５５が、その初期値の優先順位Ｐｎに基づいて決定されたダンパー６を開にするなどの構成としてもよい。
【００４７】
（ステップＳ２０４）
演算比較部５４は、いずれかのダンパー６に対して開から閉への設定の変更があったかどうかを判定する。ここで、ダンパー６の設定変更の有無の判定に関しては、例えば、ユーザーが空調機リモコン４０またはダンパーリモコン３０を用いてダンパー６の設定変更を行ったら、その情報が記憶部５３に記憶され、演算比較部５４がその情報を参照することによって行う。演算比較部５４が、いずれかのダンパー６に対して開から閉への設定の変更があったと判定した場合（Ｙｅｓ）、ステップＳ２０１の処理に戻る。一方、演算比較部５４が、いずれかのダンパー６に対しても開から閉への設定の変更がないと判定した場合（Ｎｏ）、再度ステップＳ２０４の処理を行う。
【００４８】
次に、具体例の一例として、初期設定としてエリア１〜３のダンパー６が開となっている状態から、途中でエリア３のダンパー６が閉となった場合の制御フローについて説明する。
【００４９】
ステップＳ２０１において、演算比較部５４は、記憶部５３を参照し、ダンパー６が開となっているエリアの総床面積ΣＡｎ［ｍ２］を計算する。ここでは、ダンパー６が開となっているエリアはエリア１〜３であり、総床面積ΣＡｎ＝Ａ１＋Ａ２＋Ａ３＝２４［ｍ２］となる。
【００５０】
ステップＳ２０２において、演算比較部５４は、ダンパー６が開となっているエリア１〜３の総床面積ΣＡｎ［ｍ２］と最低床面積Ａｍｉｎ［ｍ２］と比較する。ここでは、ΣＡｎ＝Ａ１＋Ａ２＋Ａ３＝２４［ｍ２］、最低床面積Ａｍｉｎ＝２４［ｍ２］であり、ΣＡｎ≧Ａｍｉｎとなる。そのため、演算比較部５４は、ダンパー６が開となっているエリアの総床面積ΣＡｎ［ｍ２］が最低床面積Ａｍｉｎ［ｍ２］以上であると判定し、ステップＳ２０４の処理に進む。
【００５１】
ステップＳ２０４において、演算比較部５４は、記憶部５３を参照して、いずれかのダンパー６に対して開から閉への設定の変更があるまで、このステップＳ２０４の処理を繰り返す。そして、演算比較部５４は、エリア３のダンパー６に対して開から閉への設定の変更があったと判定した場合、ステップＳ２０１の処理に戻る。
【００５２】
再びステップＳ２０１において、演算比較部５４は、記憶部５３を参照し、ダンパー６が開となっているエリアの総床面積ΣＡｎ［ｍ２］を計算する。ここでは、ダンパー６が開となっているエリアはエリア１、２であり、総床面積ΣＡｎ＝Ａ１＋Ａ２＝１８［ｍ２］となる。
【００５３】
再びステップＳ２０２において、演算比較部５４は、ダンパー６が開となっているエリア１、２の総床面積ΣＡｎ［ｍ２］と最低床面積Ａｍｉｎ［ｍ２］と比較する。ここでは、ΣＡｎ＝Ａ１＋Ａ２＝１８［ｍ２］、最低床面積Ａｍｉｎ＝２４［ｍ２］であり、ΣＡｎ＜Ａｍｉｎとなる。そのため、演算比較部５４は、ダンパー６が開となっているエリアの総床面積ΣＡｎ［ｍ２］が最低床面積Ａｍｉｎ［ｍ２］未満であると判定し、ステップＳ２０３の処理に進む。
【００５４】
ステップＳ２０３において、演算比較部５４は、記憶部５３を参照する。そして、現在閉じられているダンパー６、つまり、エリア３〜６のダンパー６のうち、最も優先順位Ｐｎの高いダンパー６はエリア４のダンパー６であるため、駆動部５５は、エリア４のダンパー６を開にして、ステップＳ２０１の処理に戻る。
【００５５】
再びステップＳ２０１において、演算比較部５４は、記憶部５３を参照し、ダンパー６が開となっているエリアの総床面積ΣＡｎ［ｍ２］を計算する。ここでは、ダンパー６が開となっているエリアはエリア１、２、４であり、総床面積ΣＡｎ＝Ａ１＋Ａ２＋Ａ４＝２４［ｍ２］となる。
【００５６】
再びステップＳ２０２において、演算比較部５４は、ダンパー６が開となっているエリア１、２、４の総床面積ΣＡｎ［ｍ２］と最低床面積Ａｍｉｎ［ｍ２］と比較する。ここでは、ΣＡｎ＝Ａ１＋Ａ２＋Ａ４＝２４［ｍ２］、最低床面積Ａｍｉｎ＝２４［ｍ２］であり、ΣＡｎ≧Ａｍｉｎとなる。そのため、演算比較部５４は、ダンパー６が開となっているエリアの総床面積ΣＡｎ［ｍ２］が最低床面積Ａｍｉｎ［ｍ２］以上であると判定し、ステップＳ２０４の処理に進む。
【００５７】
再びステップＳ２０４において、演算比較部５４は、記憶部５３を参照して、いずれかのダンパー６に対して開から閉への設定の変更があるまで、このステップＳ２０４の処理を繰り返す。そして、演算比較部５４は、いずれかのダンパー６に対して開から閉への設定の変更があったと判定した場合、ステップＳ２０１の処理に戻る。
【００５８】
このように、本実施の形態２に係る空気調和システムでは、あらかじめ設定されたダンパー６の優先順位Ｐｎに基づいてダンパー６の開閉を制御する。そのため、例えば人が居ることが多いダイニングキッチンなどのエリアの優先順位Ｐｎを高くし、人が居ることが少ない書斎などのエリアの優先順位Ｐｎを低くしておく。そうすることで、万が一、可燃性冷媒が漏洩しても、優先順位Ｐｎの高いエリアに可燃性冷媒が漏れるのを抑制しつつ、可燃域が形成されるのを抑制でき、可燃性冷媒に着火するリスクを低減することができる。
【００５９】
以上、本実施の形態２に係る空気調和システムにおいて、制御装置５０は、総床面積ΣＡｎ［ｍ２］と最低床面積Ａｍｉｎ［ｍ２］とを比較する。そして、総床面積ΣＡｎ［ｍ２］が最低床面積Ａｍｉｎ［ｍ２］を下回った場合、閉じているダンパー６のうちで、あらかじめ設定された優先順位Ｐｎが最も高いダンパー６を開とするものである。
【００６０】
本実施の形態２に係る空気調和システムによれば、総床面積ΣＡｎ［ｍ２］が最低床面積Ａｍｉｎ［ｍ２］を下回った場合、閉じているダンパー６のうちで、優先順位Ｐｎが最も高いダンパー６を開とする。そのため、万が一、可燃性冷媒が漏洩しても、優先順位Ｐｎの高いエリアに可燃性冷媒が漏れるのを抑制しつつ、可燃域が形成されるのを抑制でき、可燃性冷媒に着火するリスクを低減することができる。
【符号の説明】
【００６１】
１  室外機、２  室内機、３  冷媒配管、４  空調ダクト、６  ダンパー、３０  ダンパーリモコン、３１  操作部、４０  空調機リモコン、４１  操作部、４２  送信部、５０  制御装置、５１  取得部、５２  受信部、５３  記憶部、５４  演算比較部、５５  駆動部。
【図１】
2020178956.tif 000005
【図２】
2020178956.tif 000006
【図３】
2020178956.tif 000007
【図４】
2020178956.tif 000008
【手続補正書】
【提出日】令和3年3月11日(2021.3.11)
【手続補正１】
【補正対象書類名】明細書
【補正対象項目名】０００７
【補正方法】変更
【補正の内容】
【０００７】
本発明に係る空気調和システムは、室内機と室外機とが冷媒配管で接続され該冷媒配管を可燃性冷媒が流れる冷媒回路を備え、空調対象空間である複数のエリアに空調空気を供給する空気調和機と、前記室内機と各前記エリアとを接続する空調ダクトと、前記空調ダクト内に配置され、各前記エリアへ供給される空調空気を遮断もしくは通過させるように開閉可能な複数のダンパーと、前記ダンパーを制御する制御装置と、を備え、前記制御装置は、空調空気が供給される前記エリアの総床面積が、前記可燃性冷媒が漏洩しても可燃域が形成されない床面積である最低床面積以上の面積となるように前記ダンパーを制御し、前記総床面積と前記最低床面積とを比較し、前記総床面積が前記最低床面積を下回った場合、閉じている前記ダンパーのうちで、あらかじめ設定された優先順位が最も高い前記ダンパーを開とするものである。
【手続補正２】
【補正対象書類名】特許請求の範囲
【補正対象項目名】全文
【補正方法】変更
【補正の内容】
【特許請求の範囲】
【請求項１】
室内機と室外機とが冷媒配管で接続され該冷媒配管を可燃性冷媒が流れる冷媒回路を備え、空調対象空間である複数のエリアに空調空気を供給する空気調和機と、
前記室内機と各前記エリアとを接続する空調ダクトと、
前記空調ダクト内に配置され、各前記エリアへ供給される空調空気を遮断もしくは通過させるように開閉可能な複数のダンパーと、
前記ダンパーを制御する制御装置と、を備え、
前記制御装置は、
空調空気が供給される前記エリアの総床面積が、前記可燃性冷媒が漏洩しても可燃域が形成されない床面積である最低床面積以上の面積となるように前記ダンパーを制御し、
前記総床面積と前記最低床面積とを比較し、前記総床面積が前記最低床面積を下回った場合、閉じている前記ダンパーのうちで、あらかじめ設定された優先順位が最も高い前記ダンパーを開とする
空気調和システム。
【請求項２】
ユーザーが前記ダンパーの優先順位を設定するリモコンを備えた
請求項１に記載の空気調和システム。
【請求項３】
前記制御装置は、
いずれかの前記ダンパーにおいて開から閉への設定の変更があった場合、前記総床面積と前記最低床面積とを比較する
請求項１または２に記載の空気調和システム。
【国際調査報告】
2020178956.tif 000009
2020178956.tif 000010
2020178956.tif 000011
2020178956.tif 000012